(57)【要約】【課題】ユーザが指定したチャンネルの放送データに含まれる放送映像を視聴しながら、視聴していないチャンネルの放送データに含まれる放送映像に関連する関連情報を情報処理装置で確認することができる送信装置、送信方法、および通信システムを提供する。【解決手段】実施形態の受信装置は、複数のチューナと、制御部と、取得部と、送信部と、を備える。複数のチューナは、放送映像を含む放送データをそれぞれ受信可能である。制御部は、表示装置に表示されているチャンネルである主チャンネルおよび表示装置に表示されていないチャンネルのうち少なくとも一つのチャンネルである副チャンネルの放送データを受信するようにチューナを制御する。取得部は、放送映像に関連する関連情報を、受信している放送データ毎に取得する。送信部は、副チャンネルに対応する関連情報を情報処理装置に送信する。【選択図】図２
2014017861.tif 000002
【特許請求の範囲】
【請求項１】
放送映像を含む放送データをそれぞれ受信可能な複数のチューナと、
前記放送映像を表示するチャンネルである主チャンネルの前記放送データと、前記主チャンネル以外のチャンネルのうち少なくとも一つのチャンネルである副チャンネルの前記放送データとを受信するように前記チューナを制御する制御部と、
前記放送映像に関連する関連情報または当該関連情報の取得先を示す取得先情報を、受信している前記放送データ毎に取得する取得部と、
前記取得部が取得した前記主チャンネルおよび前記副チャンネルそれぞれの前記関連情報または前記取得先情報を情報処理装置に送信する送信部と、
を備えた送信装置。
【請求項２】
前記取得部は、前記複数のチューナにより受信した前記放送データに、前記関連情報の取得先装置を示す取得先情報が含まれる場合、前記取得先情報が示す前記取得先装置から、前記主チャンネルおよび前記副チャンネルそれぞれに対応する前記関連情報を取得する請求項１に記載の送信装置。
【請求項３】
前記取得部は、前記複数のチューナにより受信した前記放送データの受信を中断させる所定処理が発生した場合、前記所定処理が発生する前に受信した前記放送データが含む前記取得先情報が示す取得先装置から前記関連情報を取得し、
前記送信部は、前記所定処理が発生した後も、取得した前記関連情報の送信を継続する請求項２に記載の送信装置。
【請求項４】
前記送信部は、前記複数のチューナにより受信した前記放送データの受信を中断させる所定処理が発生した場合、前記所定処理が発生する前に受信した前記放送データが含む前記取得先情報を前記情報処理装置に送信する請求項２に記載の送信装置。
【請求項５】
前記送信部は、前記所定処理が発生した場合に、前記放送データの受信の中断に関する情報を前記情報処理装置に送信する請求項３または４に記載の送信装置。
【請求項６】
前記情報処理装置から、前記放送データを受信する前記副チャンネルを表すチャンネル情報を受信する受信部を備え、
前記制御部は、受信した前記チャンネル情報が表す前記副チャンネルの前記放送データを受信するように前記チューナを制御する請求項１から５のいずれか一に記載の送信装置。
【請求項７】
前記送信部は、前記チャンネル情報が表す前記副チャンネルが、前記複数のチューナにより前記放送データを受信しているチャンネルに含まれずかつ前記放送データを受信していない前記チューナが無い場合、前記チャンネル情報が表す前記副チャンネルの前記放送データを受信できないことを示すメッセージを前記情報処理装置に送信する請求項６に記載の送信装置。
【請求項８】
前記主チャンネルの前記放送データが含む前記放送映像を表示する表示部を備えた請求項１から７のいずれか一に記載の送信装置。
【請求項９】
放送映像を含む放送データをそれぞれ受信可能な複数のチューナを備えた送信装置で実行される送信方法であって、
前記放送映像を表示するチャンネルである主チャンネルの前記放送データと、および前記主チャンネル以外のチャンネルのうち少なくとも一つのチャンネルである副チャンネルの前記放送データとを受信するように前記チューナを制御する工程と、
前記放送映像に関連する関連情報または当該関連情報の取得先を示す取得先情報を、受信している前記放送データ毎に取得する工程と、
前記取得部が取得した前記主チャンネルおよび前記副チャンネルそれぞれの前記関連情報または前記取得先情報を情報処理装置に送信する工程と、
を含む送信方法。
【請求項１０】
放送映像を含む放送データをそれぞれ受信可能な複数のチューナを備えた送信装置と、前記チューナで受信した前記放送映像に関連する関連情報を表示可能な情報処理装置と、がネットワークを介して接続された通信システムであって、
前記送信装置は、
前記放送映像を表示するチャンネルである主チャンネルの前記放送データと、および前記主チャンネル以外のチャンネルのうち少なくとも一つのチャンネルである副チャンネルの前記放送データとを受信するように前記チューナを制御する制御部と、
前記放送映像に関連する関連情報または当該関連情報の取得先を示す取得先情報を、受信している前記放送データ毎に取得する取得部と、
前記取得部が取得した前記主チャンネルおよび前記副チャンネルそれぞれの前記関連情報または前記取得先情報を前記情報処理装置に送信する送信部と、
を備えた通信システム。
【発明の詳細な説明】
【技術分野】
【０００１】
本発明の実施形態は、送信装置、送信方法、および通信システムに関する。
【背景技術】
【０００２】
従来、テレビ等の放送波受信装置で表示されている放送映像に関連する関連情報をコンピュータ等の情報処理装置に表示させる技術が知られている。
【先行技術文献】
【特許文献】
【０００３】
【特許文献１】特開２０１０−２５８８４９号公報
【発明の概要】
【発明が解決しようとする課題】
【０００４】
かかる技術では、放送波受信装置で放送映像が表示されているチャンネル以外のチャンネルの放送映像に関連する関連情報も情報処理装置に表示できることが好ましい。
【０００５】
本発明は、上記に鑑みてなされたものであって、ユーザが指定したチャンネルの放送データに含まれる放送映像を視聴しながら、視聴していないチャンネルの放送データに含まれる放送映像に関連する関連情報を情報処理装置で確認することができる送信装置、送信方法、および通信システムを提供することを目的とする。
【課題を解決するための手段】
【０００６】
実施形態の送信装置は、複数のチューナと、制御部と、取得部と、送信部と、を備える。複数のチューナは、放送映像を含む放送データをそれぞれ受信可能である。制御部は、放送映像を表示するチャンネルである主チャンネルの放送データと、主チャンネル以外のチャンネルのうち少なくとも一つのチャンネルである副チャンネルの放送データとを受信するようにチューナを制御する。取得部は、放送映像に関連する関連情報または当該関連情報の取得先を示す取得先情報を、受信している放送データ毎に取得する。送信部は、取得部が取得した主チャンネルおよび副チャンネルそれぞれの関連情報または取得先情報を情報処理装置に送信する。
【図面の簡単な説明】
【０００７】
【図１】図１は、本実施形態にかかる受信装置および情報処理装置を含む表示制御システムの一例の概略構成が示された説明図である。
【図２】図２は、本実施形態にかかる受信装置および情報処理装置を含むシステムの一例が示されたブロック図である。
【図３】図３は、本実施形態にかかる受信装置が備えるチューナ部、デマルチプレクサ部、制御部、映像・音声再生部の一例が示されたブロック図である。
【図４】図４は、本実施形態にかかる受信装置の記憶部に記憶された送信先情報データベースの構成を示す図である。
【図５】図５は、本実施形態にかかる受信装置における放送映像の表示処理、および情報処理装置における関連情報の表示処理の流れの一例を示すフローチャートである。
【図６】図６は、本実施形態にかかる受信装置における放送映像の表示処理、および情報処理装置における関連情報の表示処理の流れの一例を示すフローチャートである。
【図７】図７は、本実施形態にかかる受信装置から情報処理装置に関連情報を送信する処理を説明するための図である。
【図８】図８は、本実施形態にかかる情報処理装置において表示される関連情報の一例を示す図である。
【図９】図９は、本実施形態にかかる情報処理装置において表示される関連情報の一例を示す図である。
【発明を実施するための形態】
【０００８】
図１は、本実施形態にかかる送信装置および情報処理装置を含む表示制御システムの一例の概略構成が示された説明図である。本実施形態では、一例として、図１に示されるように、情報送信システムは、放送基地局１００、受信装置２００、情報処理装置３００、およびサーバ装置４００を含む。受信装置２００、情報処理装置３００、およびサーバ装置４００は、有線または無線のネットワーク５００（電気通信回線）を介して電気的に接続されており、相互にデータを送受信することができる。受信装置２００は、一例としては、テレビジョン受像機である。なお、受信装置２００は、表示部を有さず、接続された映像表示装置（図示しない）等に出力する構成としても良い。また、情報処理装置３００は、一例として、デスクトップ型、ノート型、タブレット型等のコンピュータや、スマートフォン、スマートブック、携帯電話機、ＰＤＡ（Personal  Digital  Assistant）等である。
【０００９】
放送基地局１００は、放送番組等の放送映像を含む放送データ（放送波、放送信号）をチャンネル毎に送信する。放送基地局１００は、例えば、ＭＰＥＧ２−ＴＳ（Moving  Picture  Experts  Group2−Transport  Stream）形式のストリームとしてチャンネル毎の放送映像等を送信する。また、放送基地局１００は、チャンネル毎の放送映像に関連する関連情報を送信する。放送基地局１００は、例えば、ＨＴＭＬ（Hypertext  Markup  Language）、ＣＳＳ（Cascading  Style  Sheets）、ＪａｖａＳｃｒｉｐｔ（登録商標）等の形式で記述された関連情報を送信する。また、放送基地局１００は、関連情報がサーバ装置４００から送信される場合、関連情報の取得先（サーバ装置４００）を識別する取得先情報を含む放送データをチャンネル毎に送信する。ここで、取得先情報は、例えば、関連情報の取得先のＵＲＬとすることができる。
【００１０】
サーバ装置４００は、放送基地局１００が送信するチャンネル毎の放送映像に関連する関連情報を送信する。本実施形態では、関連情報は、放送基地局１００が放送データに重畳させて送信するものであっても、サーバ装置４００からネットワーク５００を経由して送信されるものであっても、または両方から送信されるものであっても良い。また、関連情報の内容としては、例えば、放送番組の内容に関連する情報（例えば、出演者情報、関連番組情報、放送データのＭＰＥＧ２−ＴＳに搭載されない言語の字幕等）や、放送データからの放送映像に重畳させることで高画質化させることができる映像データがある。
【００１１】
なお、放送データに重畳されるストリームには、映像や音声等のＥＳ（Elementary  Stream）、ＥＳに関するＰＳＩ（Program  Specific  Information）／ＳＩ（Service  Information）が含まれる。そして、当該ＰＳＩ／ＳＩには、例えば出力装置情報が含まれる。なお、出力装置情報は、放送基地局１００およびサーバ装置４００等から送信される関連情報を表示させる表示部を示す識別子、当該出力装置情報のパケットが搭載されているＴＳストリームの放送映像を表示させる表示部を示す識別子等を含んでいる。
【００１２】
出力装置情報は、例えば、ＰＳＩ／ＳＩに、出力情報テーブル（ＯＩＴ：Output  Device  Information  Table）などのテーブルを用意するか、ＤＶＢ（Digital  Video  Broadcasting）のＴＳ  １０２  ８０９に定義されているＡＩＴ（Application  Information  Table）のような既存のテーブルに出力装置情報として“受信装置の表示部に出力／情報処理装置の表示部に出力／受信装置および情報処理装置の両方の表示部に出力”などの識別子として定義することが考えられる。
【００１３】
図２は、本実施形態にかかる受信装置および情報処理装置を含むシステムの一例が示されたブロック図である。図３は、本実施形態にかかる受信装置が備えるチューナ部、デマルチプレクサ部、制御部、映像・音声再生部の一例が示されたブロック図である。本実施形態では、一例として、受信装置２００は、チューナ部２０１（Tuner部）や、デマルチプレクサ部（Demux部）２０２、通信部２０３、記憶部２０４、ＨＴＴＰサーバ部２０５、制御部２０６、受信部２１２、グラフィッック再生部（Graphics再生部）２１３、映像・音声再生部２１４、表示制御部２１５、表示部２１６等を備える。
【００１４】
チューナ部２０１は、放送データをそれぞれ受信可能な複数のチューナを備えている。本実施形態では、チューナ部２０１は、図３に示すように、複数のチャンネル（本実施形態では、３つのチャンネル）の放送データをそれぞれ受信可能な３つのチューナ２０１ａ〜２０１ｃを備えている。ここで、複数のチャンネルには、受信装置２００の表示部２１６に表示されているチャンネルである主チャンネル含む。また、複数のチャンネルには、表示部２１６に表示されていないチャンネルのうち少なくとも一つのチャンネルである副チャンネルが含まれうる。
【００１５】
デマルチプレクサ部２０２は、チューナ部２０１で受信した放送データから各種データを分離する。本実施形態では、デマルチプレクサ部２０２は、図３に示すように、チューナ部２０１が備えるチューナ毎に、チューナ２０１ａ〜２０１ｃで受信した放送データから各種データを分離するデマルチプレクサ２０２ａ〜２０２ｃを備えている。デマルチプレクサ部２０２により分離された放送映像・音声は、映像・音声再生部２１４に送られる。また、デマルチプレクサ部２０２により分離（取得）された出力装置情報、関連情報、取得先情報等は、制御部２０６に送られる。
【００１６】
ここで、デマルチプレクサ部２０２は、関連情報または取得先情報を制御部２０６に送る際、チューナ２０１ａ〜２０１ｃのうち、当該関連情報または取得先情報を含む放送データを受信したチューナを識別するチューナ情報（チューナＩＤ）を付加する。
【００１７】
通信部２０３は、外部装置との通信を実行する。具体的には、通信部２０３は、サーバ装置４００から関連情報を受信する。そして、通信部２０３は、関連情報を受信した場合には、当該関連情報を制御部２０６に出力する。また、通信部２０３は、制御部２０６から、関連情報および当該関連情報の送信先を識別する送信先情報が入力されると、当該関連情報を、当該送信先情報により識別される送信先に送信する。本実施形態では、通信部２０３は、副チャンネルに対応する関連情報を、情報処理装置３００に送信する送信部として機能する。なお、通信部２０３は、主チャンネルおよび副チャンネルのうち少なくとも一方に対応する関連情報を、情報処理装置３００に送信するものとする。
【００１８】
また、通信部２０３は、情報処理装置３００から、データの授受を要求する接続要求、副チャンネルの放送データの受信を要求する受信要求等を受信する。
【００１９】
ここで、接続要求は、当該接続要求を送信した情報処理装置３００を識別する送信先情報、放送データを受信する電波毎に設けられたウィンドウのウィンドウＩＤ、当該ウィンドウＩＤにより識別されるウィンドウにおいて、主チャンネルの放送データに含まれる放送映像に関連する関連情報が表示されるタブを識別するタブＩＤを含む。なお、本実施形態では、接続要求には、タブＩＤを含めているが、これに限定するものではなく、例えば、主チャンネルの放送データに含まれる放送映像に関連する関連情報のタグを含んでいても良い。
【００２０】
また、受信要求は、当該受信要求を送信した情報処理装置３００を識別する送信先情報、放送データを受信する副チャンネルを表すチャンネル情報、放送データを受信する電波毎に設けられたウィンドウを識別するウィンドウＩＤ、当該ウィンドウＩＤにより識別されるウィンドウにおいて、副チャンネルの放送データに含まれる放送映像に関連する関連情報が表示されるタブを識別するタブＩＤを含む。本実施形態では、通信部２０３は、情報処理装置３００から、放送データを受信する副チャンネルを表すチャンネル情報を受信する受信部として機能する。なお、本実施形態では、受信要求には、タブＩＤを含めているが、これに限定するものではなく、例えば、副チャンネルの放送データに含まれる放送映像に関連する関連情報のタグを含んでいても良い。
【００２１】
制御部２０６は、主チャンネルおよび副チャンネルの放送データを受信するようにチューナ２０１ａ〜２０１ｃを制御する。また、制御部２０６は、出力装置情報および関連情報が入力され、当該出力装置情報に基づいて、当該関連情報を表示部２１６に表示させるように制御する。本実施形態では、制御部２０６は、出力装置情報が表示部２１６に表示させることを示している場合、関連情報を、グラフィック再生部２１３に出力する。一方、制御部２０６は、出力装置情報が表示部２１６に表示させることを示している場合、関連情報を通信部２０３から情報処理装置３００に送信させる。
【００２２】
ここで、制御部２０６は、ウェブブラウザ部２０６ａを備える。ウェブブラウザ部２０６ａは、ＪａｖａＳｃｒｉｐｔ（登録商標）処理部、ＨＴＭＬ処理部、Ｖｉｄｅｏ／Ａｕｄｉｏエレメント処理部、ＡＰＩ（Application  Program  Interface）処理部、ＣＳＳ処理部等（いずれも図示せず）を有する。ウェブブラウザ部２０６ａは、取得先情報により識別される取得先から、通信部２０３を介して関連情報を取得する。そして、ウェブブラウザ部２０６ａは、取得した関連情報をグラフィック再生部２１３に出力する。本実施形態では、一例として、デマルチプレクサ部２０２、またはデマルチプレクサ部２０２およびウェブブラウザ部２０６ａが、関連情報を放送データ毎に取得する取得部として機能する。
【００２３】
ＨＴＴＰサーバ部２０５は、一般的なＷｅｂサーバ機能を有するモジュールである。ＨＴＴＰサーバ部２０５は、ウェブブラウザ部２０６ａからの要求に応じて記憶部２０４に記憶した関連情報等を当該ウェブブラウザ部２０６ａに出力する。
【００２４】
記憶部２０４は、デマルチプレクサ部２０２によって放送データから分離（取得）された関連情報およびウェブブラウザ部２０６ａによって取得された関連情報を記憶する。また、本実施形態では、記憶部２０４は、取得された関連情報の送信先に関する情報を記憶する送信先情報データベースＤＢを記憶する。
【００２５】
図４は、本実施形態にかかる受信装置の記憶部に記憶された送信先情報データベースの構成を示す図である。図４に示すように、送信先情報データベースＤＢは、チューナ部２０１が有するチューナ２０１ａ〜２０１ｃのチューナＩＤ４０１に対応付けて、送信先情報４０２、ウィンドウＩＤ４０３、タブＩＤ４０４を記憶している。送信先情報４０２は、例えば、インターネットアドレス（ＩＰアドレス）とポート番号との組み合わせ等、関連情報の送信先である情報処理装置３００を識別する情報である。ウィンドウＩＤ４０３は、例えば、ＢＳ、ＣＳ、地上デジタルなど、電波毎に設けられたウィンドウを識別する情報である。タブＩＤ４０４は、ウィンドウＩＤ４０３により識別されるウィンドウにおいて、関連情報が表示されるタブを識別する情報である。
【００２６】
図２および図３に戻り、映像・音声再生部２１４は、映像再生部２１４ａおよび音声再生部２１４ｂを備え、デマルチプレクサ部２０２から入力された放送映像や音声データ等をデコードする。グラフィック再生部２１３は、制御部２０６から入力されたＨＴＭＬ、ＣＳＳ、ＪａｖａＳｃｒｉｐｔ（登録商標）形式等で記述された関連情報から、表示制御部２１５が処理可能な形式の表示データを生成する。
【００２７】
表示制御部２１５は、映像・音声再生部２１４によりデコードされた放送映像と、グラフィック再生部２１３により生成された表示データと、を重畳して表示部２１６で表示可能な形式の映像信号に変換する。そして、表示部２１６は、当該映像信号を用いて映像を表示する。
【００２８】
受信部２１２は、リモコン２１７（外部操作装置）から無線信号（例えば、赤外線信号等）を受信する。本実施形態では、受信部２１２は、リモコン２１７から、チューナ部２０１により放送データを受信するチャンネルのうち、表示部２１６に表示させる主チャンネルを表す無線信号を受信する。
【００２９】
また、本実施形態では、一例として、図２に示されるように、情報処理装置３００は、通信部３０１、制御部３０２、表示制御部３０４、操作入力部３０５、表示部３０６等を備える。
【００３０】
通信部３０１は、他装置（例えば、受信装置２００、サーバ装置４００等）との間でのデータの授受を実行する。本実施形態では、通信部３０１は、受信装置２００から送信された関連情報を受信する受信部として機能する。そして、通信部３０１は、受信した関連情報を制御部３０２に出力する。
【００３１】
制御部３０２は、ウェブブラウザ部３０２ａを備える。ウェブブラウザ部３０２は、ＪａｖａＳｃｒｉｐｔ（登録商標）処理部や、ＨＴＭＬ処理部、Ｖｉｄｅｏ／Ａｕｄｉｏエレメント処理部、ＡＰＩ処理部、ＣＳＳ処理部等（いずれも図示しない）を有し、受信した関連情報を表示制御部３０４に出力する。
【００３２】
表示制御部３０４は、受信した関連情報を表示部３０６に表示させる。本実施形態では、表示制御部３０４は、制御部３０２から入力されたＨＴＭＬ、ＣＳＳ、ＪａｖａＳｃｒｉｐｔ（登録商標）形式等の関連情報から、表示部３０６において表示可能な形式の表示データを生成する。そして、表示部３０６は、生成した表示データを用いて映像を表示する。
【００３３】
操作入力部３０５（一例としては、タッチパネル（タッチセンサ）、キーボード、ボタン、マウス、スイッチ等）は、オペレータ（ユーザ等）の操作入力に基づくデータを生成する。
【００３４】
次に、図５〜７を用いて、受信装置２００における放送映像の表示処理、および情報処理装置３００における関連情報の表示処理の流れの一例について説明する。図５および図６は、本実施形態にかかる受信装置における放送映像の表示処理、および情報処理装置における関連情報の表示処理の流れの一例を示すフローチャートである。図７は、本実施形態にかかる受信装置から情報処理装置に関連情報を送信する処理を説明するための図である。
【００３５】
まず、図５に示す、受信装置２００における放送映像の表示処理について説明する。通信部２０３が情報処理装置３００から接続要求を受信すると、制御部２０６は、ネットワーク５００を介して接続する情報処理装置３００の登録を行う（ステップＳ５０１）。本実施形態では、制御部２０６は、受信した接続要求に含まれる送信先情報、ウィンドウＩＤ、およびタブＩＤを、主チャンネル（例えば、チャンネル１）の放送データを受信するチューナのチューナＩＤに対応付けて送信先情報データベースＤＢに記憶させることにより、情報処理装置３００の登録を行う。
【００３６】
受信装置２００が動作している間、チューナ部２０１は、チューナ２０１ａ（チューナ１）によって、受信部２１２により受信した無線信号が表す主チャンネルの放送データを受信する（ステップＳ５０２）。デマルチプレクサ部２０２は、チューナ２０１ａにより受信した放送データから、各種データを分離する（ステップＳ５０３）。本実施形態では、デマルチプレクサ部２０２は、チューナ２０１ａにより受信した放送データから各種データが分離されると、放送データに含まれる出力装置情報に基づいて、分離した各種データを、受信装置２００の表示部２１６に表示させるデータ（例えば、放送映像、関連情報、取得先情報）と情報処理装置３００の表示部３０６に表示させるデータ（例えば、関連情報、取得先情報）とに分離する（ステップＳ５０４）。
【００３７】
映像・音声再生部２１４は、受信装置２００の表示部２１６に表示させるデータに放送映像が含まれていた場合、当該放送映像をデコードする。表示制御部２１５は、デコードされた放送映像を表示部２１６に表示させる（ステップＳ５０５）。また、制御部２０６は、受信装置２００の表示部２１６に表示させるデータに関連情報が含まれていた場合、当該関連情報をグラフィック再生部２１３に出力する。また、ウェブブラウザ部２０６ａは、受信装置２００の表示部２１６に表示させるデータに取得先情報が含まれていた場合、当該取得先情報により識別された取得先（サーバ装置４００）から、関連情報を取得して、取得した関連情報をグラフィック再生部２１３に出力する。そして、表示制御部２１５は、図７に示すように、デコードされた放送映像とグラフィック再生部２１３により関連情報から生成された表示データと、を重畳した映像信号を用いて、表示部２１６に映像を表示させる。
【００３８】
情報処理装置３００の表示部３０６に表示させるデータに関連情報が含まれていた場合、通信部２０３は、記憶部２０４に記憶される送信先情報データベースＤＢを参照して、関連情報に付加されたチューナＩＤと対応付けて記憶された送信先情報により識別される情報処理装置３００に対して、関連情報を送信する（ステップＳ５０６）。本実施形態では、通信部２０３は、関連情報とともに、当該関連情報に付加されたチューナＩＤと対応付けて送信先情報データベースＤＢに記憶されたウィンドウＩＤおよびタブＩＤを送信する。なお、制御部２０６は、ネットワーク５００を介して接続された情報処理装置３００が登録されていない場合、取得した関連情報を破棄する。
【００３９】
また、情報処理装置３００の表示部３０６に表示させるデータに取得先情報が含まれていた場合、ウェブブラウザ部２０６ａは、取得先情報により識別される取得先（例えば、サーバ装置４００など）から、関連情報を取得する。そして、通信部２０３は、記憶部２０４に記憶される送信先情報データベースＤＢを参照して、取得先情報に付加されたチューナＩＤと対応付けて記憶された送信先情報により識別される情報処理装置３００に対して、取得した関連情報を送信する（ステップＳ５０６）。本実施形態では、通信部２０３は、取得した関連情報とともに、取得先情報に付加されたチューナＩＤと対応付けて送信先情報データベースＤＢに記憶されたウィンドウＩＤおよびタブＩＤを送信する。
【００４０】
その後、通信部２０３は、情報処理装置３００が送信した受信要求を受信する処理が発生したか否かを判断する（ステップＳ５０７）。そして、受信要求を受信する処理が発生していないと判断した場合（ステップＳ５０７：Ｎｏ）、チューナ２０１ａは、主チャンネルの放送データの受信を繰り返す。
【００４１】
次に、図５に示す、情報処理装置３００における画像の表示処理について説明する。操作入力部３０５が、オペレータの操作入力に基づくデータ（接続要求）を生成すると、制御部３０２は、生成された接続要求を、通信部３０１を介して受信装置２００に送信する（ステップＳ５１１）。本実施形態では、通信部３０１は、例えばＩＥＥＥ８０２．３やＩＥＥＥ８０２．１１規格に準じて、ネットワーク５００を介して受信装置２００に接続要求を送信する。
【００４２】
通信部３０１が接続要求を受信装置２００に送信することにより受信装置２００において情報処理装置３００の登録が行われると、通信部３０１は、受信装置２００から、主チャンネル（例えば、チャンネル１）の放送データから分離された各種データのうち情報処理装置３００の表示部３０６に表示させるデータ（関連情報）を受信する（ステップＳ５１２）。ウェブブラウザ部３０２ａは、受信した関連情報を解析して表示制御部３０４に送る。ここで、本実施形態では、ウェブブラウザ部３０２ａは、受信装置２００から関連情報とともに送信されたウィンドウＩＤおよびタブＩＤを受信し、受信したウィンドウＩＤおよびタブＩＤを表示制御部３０４に送る。
【００４３】
これにより、表示制御部３０４は、関連情報を表示部３０６に表示させる（ステップＳ５１３）。本実施形態では、表示制御部３０４は、ウェブブラウザ部３０２ａから受け取ったウィンドウＩＤおよびタブＩＤに基づいて、当該ウィンドウＩＤにより識別されるウィンドウが有するタブのうち当該タブＩＤにより識別されるタブに、関連情報が表示されるよう表示部３０６を制御する。
【００４４】
情報処理装置３００は、操作入力部３０５によって関連情報の表示処理の終了や当該表示処理の中止に対応したデータが生成されるまで、関連情報の受信および当該関連情報の表示を継続する。
【００４５】
また、関連情報の表示処理が行われている間に、操作入力部３０５によって新たに副チャンネル（例えば、チャンネル２）が設定されると（ステップＳ５１４）、通信部３０１は、新たに設定された副チャンネルの放送データの受信を要求する受信要求を、受信装置２００に送信する（ステップＳ５１５）。
【００４６】
次に、図６に示す、受信装置２００における画像の表示処理について説明する。通信部２０３は、情報処理装置３００の通信部３０１が送信した受信要求を受信する（ステップＳ６０１）。そして、制御部２０６は、受信した受信要求に含まれるチャンネル情報が示す副チャンネルの放送データを受信できるか否かを判断する（ステップＳ６０２）。本実施形態では、制御部２０６は、チューナ部２０１により放送データを受信しているチャンネルおよびチューナ２０１ａ〜２０１ｃのうち放送データの受信に使用されているチューナの数に基づいて、受信した受信要求に含まれるチャンネル情報が示す副チャンネルの放送データを受信できるか否かを判断する。
【００４７】
制御部２０６は、受信した受信要求に含まれるチャンネル情報が示す副チャンネルが、チューナ部２０１により放送データを受信しているチャンネルに含まれておらず、かつ放送データを受信していないチューナがない場合、当該受信した受信要求に含まれるチャンネル情報が示す副チャンネルの放送データを受信できないと判断する（ステップＳ６０２：Ｎｏ）。そして、制御部２０６は、受信要求に含まれるチャンネル情報が示す副チャンネルの放送データを受信することができない旨を表すメッセージを通信部２０３を介して情報処理装置３００に送信する（ステップＳ６０３）。図示しないが、情報処理装置３００は、受信装置２００からメッセージを受信すると、制御部３０２は、受信したメッセージを表示制御部３０４に送る。そして、表示制御部３０４は、受信したメッセージを表示部３０６に表示させる。
【００４８】
制御部２０６は、受信した受信要求に含まれるチャンネル情報が示す副チャンネルが、チューナ部２０１により放送データを受信しているチャンネルに含まれている場合、または放送データを受信していないチューナがある場合、当該受信した受信要求に含まれるチャンネル情報が示す副チャンネルの放送データを受信できると判断する（ステップＳ６０２：Ｙｅｓ）。そして、制御部２０６は、図７に示すように、受信した受信要求に含まれるチャンネル情報が示す副チャンネルを含む複数のチャンネル（例えば、チャンネル１〜３）の放送データを受信するようチューナ２０１ａ〜２０１ｃを制御する（ステップＳ６０４）。さらに、制御部２０６は、副チャンネルの放送データを受信するチューナＩＤと対応付けて、受信要求に含まれる送信先情報、ウィンドウＩＤ、およびタブＩＤを送信先情報データベースＤＢに記憶させる。
【００４９】
なお、本実施形態では、制御部２０６は、受信した受信要求に含まれるチャンネル情報が示す副チャンネルを含む複数のチャンネルの放送データを受信するようチューナ２０１ａ〜２０１ｃを制御しているが、これに限定するものではなく、主チャンネルの放送データに含まれる放送映像に関連する放送映像を含む放送データの副チャンネルを含む複数のチャンネルの放送データを受信するようチューナ２０１ａ〜２０１ｃを制御しても良い。
【００５０】
次いで、チューナ２０１ａ（チューナ１）が、受信部２１２により受信した無線信号が表す主チャンネル（例えば、チャンネル１）の放送データを受信するとともに、チューナ２０１ｂ（チューナ２）は、通信部２０３により受信した受信要求が含むチャンネル情報が示す副チャンネル（例えば、チャンネル２）の放送データを受信する（ステップＳ６０５）。なお、ステップＳ６０６〜ステップＳ６０９に示す処理は、図５に示すステップＳ５０３〜ステップＳ５０６と同様である。
【００５１】
次いで、デマルチプレクサ部２０２は、チューナ２０１ｂにより受信した放送データから、各種データを分離する（ステップＳ６１０）。本実施形態では、デマルチプレクサ部２０２は、チューナ２０１ｂにより受信した放送データから各種データが分離されると、放送データに含まれる出力装置情報に基づいて、分離した各種データを、受信装置２００の表示部２１６に表示させるデータ（例えば、放送映像、関連情報、取得先情報）と、情報処理装置３００の表示部３０６に表示させるデータ（例えば、関連情報、取得先情報）とに分離する（ステップＳ６１１）。
【００５２】
情報処理装置３００の表示部３０６に表示させるデータに関連情報が含まれていた場合、通信部２０３は、記憶部２０４に記憶される送信先情報データベースＤＢを参照して、関連情報に付加されたチューナＩＤと対応付けて記憶された送信先情報により識別される情報処理装置３００に対して、関連情報を送信する（ステップＳ６１２）。本実施形態では、通信部２０３は、関連情報とともに、当該関連情報に付加されたチューナＩＤと対応付けて送信先情報データベースＤＢに記憶されたウィンドウＩＤおよびタブＩＤを送信する。なお、制御部２０６は、ネットワーク５００を介して接続された情報処理装置３００が登録されていない場合、取得した関連情報を破棄する。
【００５３】
また、情報処理装置３００の表示部３０６に表示させるデータに取得先情報が含まれていた場合、ウェブブラウザ部２０６ａは、取得先情報により識別される取得先（例えば、サーバ装置４００など）から、関連情報を取得する。そして、通信部２０３は、記憶部２０４に記憶される送信先情報データベースＤＢを参照して、取得先情報に付加されたチューナＩＤと対応付けて記憶された送信先情報により識別される情報処理装置３００に対して、取得した関連情報を送信する（ステップＳ６１２）。本実施形態では、通信部２０３は、取得した関連情報とともに、取得先情報に付加されたチューナＩＤと対応付けて送信先情報データベースＤＢに記憶されたウィンドウＩＤおよびタブＩＤを送信する。なお、本実施形態では、通信部２０３は、ウェブブラウザ部２０６ａにより取得された関連情報を送信しているが、これに限定するものではない。通信部２０３は、情報処理装置３００の表示部３０６に表示させるデータに取得先情報が含まれていた場合、当該取得先情報およびウェブブラウザ部２０６ａにより取得された関連情報のうちいずれか一方を情報処理装置３００に送信しても良い。
【００５４】
そして、受信装置２００は、放送データの受信を中断させる処理（例えば、チューナ部２０１で受信しているチャンネル以外のチャンネルの放送データの録画が開始される場合など）が発生するまで、ステップＳ６０５〜ステップＳ６１２に示す処理を繰り返す（ステップＳ６１３：Ｎｏ）。そして、放送データの受信を中断させる処理が発生した場合（ステップＳ６１３：Ｙｅｓ）、制御部２０６は、受信要求に含まれるチャンネル情報が示す副チャンネルの放送データを受信することができない旨等を表すメッセージを通信部２０３を介して情報処理装置３００に送信する。ここで、情報処理装置３００に送信するメッセージは、受信装置２００が放送データの受信を中断した理由を示す情報を含んでいても良い。なお、受信装置２００は、チューナ部２０１で放送データを受信しているチャンネルのいずれかのチャンネルの放送データの受信を中断させる処理が発生した場合に、当該チャンネルの放送データに含まれる放送映像に関連する関連情報の取得および情報処理装置３００への関連情報の送信を停止しているが、放送データの受信を中断させる処理の前に受信した放送データに含まれる取得先情報により識別される取得先からの関連情報の取得を行い、当該取得した関連情報を情報処理装置３００に送信しても良い。
【００５５】
なお、本実施形態では、受信装置２００は、主チャンネルの放送データに含まれる放送映像の表示処理および当該主チャンネルの放送データに含まれる放送映像に関連する関連情報の送信処理と、副チャンネルの放送データに含まれる放送映像に関連する関連情報の送信処理と、を順次繰り返しているが、これに限定するものではない。例えば、受信装置２００は、主チャンネルの放送データに含まれる放送映像の表示処理および当該主チャンネルの放送データに含まれる放送映像に関連する関連情報の送信処理と、副チャンネルの放送データに含まれる放送映像に関連する関連情報の送信処理と、を並列または非同期に行なうようにしても良い。
【００５６】
次に、図６に示す、情報処理装置３００における画像の表示処理について説明する。なお、図６におけるステップＳ６２１およびステップＳ６２２に示す処理は、図５に示すステップＳ５１２およびステップＳ５１３に示す処理と同様である。通信部３０１は、受信装置２００から、副チャンネルの放送データから分離された各種データのうち情報処理装置３００の表示部３０６で表示させるデータ（関連情報）を受信する（ステップＳ６２３）。ウェブブラウザ部３０２ａは、受信した関連情報を解析して表示制御部３０４に送る。なお、本実施形態では、ウェブブラウザ部３０２ａは、受信装置２００から関連情報とともに送信されたウィンドウＩＤおよびタブＩＤを受信し、受信したウィンドウＩＤおよびタブＩＤを表示制御部３０４に送る。
【００５７】
そして、表示制御部３０４は、関連情報が表示されるよう表示部３０６を制御する（ステップＳ６２４）。本実施形態では、表示制御部３０４は、ウェブブラウザ部３０２ａから受け取ったウィンドウＩＤおよびタブＩＤに基づいて、当該ウィンドウＩＤにより識別されるウィンドウが有するタブのうち当該タブＩＤにより識別されるタブに、関連情報が表示されるよう表示部３０６を制御する。
【００５８】
なお、通信部３０１によって、チューナ２０１ａ〜２０１ｃで受信した全てのチャンネルの放送データに含まれる放送映像に関連する関連情報が放送データ毎に取得された場合、表示制御部３０４は、全てのチャンネルの放送データに含まれる放送映像に関連する関連情報のうち、操作入力部３０５の操作入力により選択されたチャンネルの放送データに含まれる放送映像に関連する関連情報が表示されるよう表示部３０６を制御する。
【００５９】
情報処理装置３００は、操作入力部３０５によって関連情報の表示処理の終了や当該表示処理の中止に対応したデータが生成されるまで、関連情報の受信および当該関連情報の表示を継続する（ステップＳ６２５：Ｎｏ）。なお、情報処理装置３００（表示制御部３０５）は、ステップＳ６１３において受信装置２００から送信されたメッセージを受信した場合、当該メッセージに基づいて、受信装置２００においてあるチャンネル（受信装置２００において放送データの受信を中断したチャンネル）の放送データの受信が中断されたことを表示（報知）する。また、情報処理装置３００（表示制御部３０４）は、受信したメッセージに基づいて、放送データの受信を中断した理由（例えば、チューナ部２０１で受信していたチャンネル以外のチャンネルの放送データの録画（予約録画）が開始など）に関する情報を表示（報知）しても良い。また、受信装置２００において放送データの受信が中断された後も関連情報が取得されて当該関連情報の送信が継続して行なわれている場合、情報処理装置３００（表示制御部３０４）は、放送データの受信が中断されたチャンネルの関連情報の表示を継続して行っても良い。
【００６０】
また、本実施形態では、受信装置２００（ウェブブラウザ部２０６ａ、通信部２０３）が、情報処理装置３００において表示する関連情報を取得して情報処理装置３００に送信しているが、受信装置２００（ウェブブラウザ部２０６ａ、通信部２０３）が関連情報を取得して情報処理装置３００に送信しなくても良い。すなわち、情報処理装置３００の表示部３０６に表示させるデータに取得先情報が含まれていた場合、受信装置２００（通信部２０３）は、当該取得先情報を情報処理装置３００に送信し、情報処理装置３００（３０２ａ）が当該取得先情報により識別される取得先（例えば、サーバ装置４００）から関連情報を取得しても良い。なお、受信装置２００（通信部２０３）は、情報処理装置３００において放送データの受信を中断させる処理が行われた場合（ステップＳ６１３）、当該中断させる処理が行われる前に、情報処理装置３００から受信した取得先情報を受信装置２００に送信しておいても良い。これにより、情報処理装置３００（ウェブブラウザ３０２ａ、表示制御部３０４）は、受信装置２００において放送データの受信を中断させる処理が行われた後も、受信装置２００から送信された取得先情報により識別される取得先（例えば、サーバ装置４００）から関連情報を取得して、当該取得した関連情報の表示部３０６への表示を継続する。ただし、受信装置２００において放送データの受信を中断させる処理が行われた後に、放送データの受信が中断したチャンネルの関連情報の取得先を識別する取得先情報が変更されることがある。この場合、情報処理装置３００（表示制御部３０４）は、放送データの受信を中断させる処理が行われた後も関連情報の表示を継続するとともに、放送データの受信が中断していることを表示（報知）することが好ましい。
【００６１】
次に、図８および図９を用いて、情報処理装置３００に表示される関連情報の一例について説明する。図８および図９は、本実施形態にかかる情報処理装置において表示される関連情報の一例を示す図である。なお、以下の説明では、情報処理装置３００が、主チャンネル（チャンネル１）の放送データに含まれる関連情報（以下、チャンネル１の関連情報とする）および副チャンネル（チャンネル２）の放送データに含まれる関連情報（以下、チャンネル２の関連情報とする）を表示部３０６に表示した例について説明する。
【００６２】
チャンネル１の関連情報に加えて、チャンネル２の関連情報を表示部３０６に表示させたい場合、情報処理装置３００のユーザは、操作入力部３０５からの操作入力により、受信装置２００に対してチャンネル２の放送データの受信を要求する受信要求を送信する。すると、通信部３０１は、チャンネル１の関連情報に加えて、チャンネル２の関連情報を受信する。
【００６３】
表示制御部３０４は、チャンネル１の関連情報とともに受信したウィンドウＩＤおよびタブＩＤに基づいて、当該ウィンドウＩＤにより識別されるウィンドウ８０１のタブ８０２，８０３のうち当該タブＩＤにより識別されるタブ８０２に、チャンネル１の関連情報が表示されるよう表示部３０６を制御する。
【００６４】
また、表示制御部３０４は、チャンネル２の関連情報とともに受信したウィンドウＩＤおよびタブＩＤに基づいて、当該ウィンドウＩＤにより識別されるウィンドウ８０４のタブ８０５，８０６のうち当該タブＩＤにより識別されるタブ８０６に、チャンネル２の関連情報が表示されるよう表示部３０６を制御する。
【００６５】
図８に示す情報処理装置３００の表示部３０６には、操作入力部３０５からの操作入力によりタブ８０２が選択されて、主チャンネルであるチャンネル１の関連情報が表示されている。一方、図９に示す情報処理装置３００の表示部３０６には、操作入力部３０５からの操作入力によりタブ８０６が選択されて、副チャンネルであるチャンネル２の関連情報が表示されている。
【００６６】
このように、本実施形態の表示制御システムによれば、受信装置２００で放送映像が表示されていない副チャンネルの放送映像に関連する関連情報を情報処理装置３００が取得することができるので、ユーザが指定した主チャンネルの放送データに含まれる放送映像を視聴しながら、副チャンネルの放送データに含まれる放送映像に関連する関連情報を情報処理装置３００で確認することができる。
【００６７】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００６８】
１００…放送基地局、２００…受信装置、２０１…チューナ部、２０１ａ〜２０１ｃ…チューナ、２０２…デマルチプレクサ部、２０２ａ〜２０２ｃ…デマルチプレクサ、２０３…通信部、２０４…記憶部、２０５…ＨＴＴＰサーバ部、２０６…制御部、２０６ａ…ウェブブラウザ部、２１２…受信部、２１３…グラフィック再生部、２１４…映像・音声再生部、２１４ａ…映像再生部、２１４ｂ…音声再生部、２１５…表示制御部、２１６…表示部、２１７…リモコン、３００…情報処理装置、３０１…通信部、３０２…制御部、３０２ａ…ウェブブラウザ部３０２ａ、３０４…表示制御部、３０５…操作入力部、３０６…表示部、５００…ネットワーク。
【図１】
2014017861.tif 000003
【図２】
2014017861.tif 000004
【図３】
2014017861.tif 000005
【図４】
2014017861.tif 000006
【図５】
2014017861.tif 000007
【図６】
2014017861.tif 000008
【図７】
2014017861.tif 000009
【図８】
2014017861.tif 000010
【図９】
2014017861.tif 000011